(57)【要約】【課題】  災害避難所やイベント会場等の一時的に使用される場所において人の存在状況をリアルタイムで把握するための存在状況確認システム及び存在状況確認方法を提供する。【解決手段】  存在状況確認システム１００は、物理アドレスの順番で配置され、起動して自らの固有物理アドレスを含む圧力検知データを無線通信にてアクセスポイントに送信する複数のセンサモジュール１、アクセスポイントを介して圧力検知データを受信し、圧力検知データより固有物理アドレスを取得し、物理アドレスの順番に従って配列された配置図に固有物理アドレスの位置を表示するよう指示する情報管理サーバ４を備える。【選択図】      図１
2010092093.tif 000002
【特許請求の範囲】
【請求項１】
圧力負荷を検出する複数のセンサモジュール、前記センサモジュールより検出を通知されるアクセスポイント、前記通知を基に検知対象の存在状況を確認する情報管理サーバを備えるシステムであって、
前記センサモジュールは、物理アドレスの順番で配置され、前記検出により自らの固有物理アドレスを含む圧力検知データを無線通信にて前記アクセスポイントに送信し、
前記情報管理サーバは、前記アクセスポイントを介して前記圧力検知データを受信し、前記圧力検知データより前記固有物理アドレスを取得し、前記物理アドレスの順番に従って配列された配置図に前記固有物理アドレスの位置を表示するよう指示する
ことを特徴とする存在状況確認システム。
【請求項２】
前記センサモジュールは、
前記アクセスポイントに向けて前記圧力検知データを無線送信する第１のセンサモジュールと、
前記圧力検知データを前記アクセスポイントに中継する第２のセンサモジュール
とを備えることを特徴とする請求項１に記載の存在状況確認システム。
【請求項３】
複数のセンサモジュールが圧力負荷を検出し、アクセスポイントが前記センサモジュールの検出を受信して情報管理サーバに通知し、前記情報管理サーバが前記通知を基に検知対象の存在状況を確認する存在状況確認方法であって、
物理アドレスの順番で配置される前記センサモジュールが圧力を検出して自らの固有物理アドレスを含む圧力検知データを無線通信にて前記アクセスポイントに送信するステップと、
前記アクセスポイントを介して前記情報管理サーバが前記圧力検知データを受信し、前記圧力検知データより前記固有物理アドレスを取得し、前記物理アドレスの順番に従って配列された配置図に前記固有物理アドレスの位置を表示するよう指示するステップ
とを備えることを特徴とする存在状況確認方法。
【請求項４】
前記アクセスポイントに送信するステップは、
第１のセンサモジュールが前記アクセスポイントに向けて前記圧力検知データを無線送信するステップと、
第２のセンサモジュールが前記圧力検知データを前記アクセスポイントに中継するステップ
とを備えることを特徴とする請求項３に記載の存在状況確認方法。
【請求項５】
圧力負荷を検出する複数のセンサモジュール、前記センサモジュールより検出を通知されるアクセスポイント、前記通知を基に検知対象の存在状況を確認する情報管理サーバを備える存在状況確認システムであって、
前記センサモジュールが物理アドレスの順番に従い間隔を空けて二手方向に配置された面状部材
を更に備えることを特徴とする存在状況確認システム。
【請求項６】
圧力負荷を検出する複数のセンサモジュール、前記センサモジュールより検出を通知されるアクセスポイント、前記通知を基に検知対象の存在状況を確認する情報管理サーバを備える存在状況確認システムであって、
前記センサモジュールが物理アドレスの順番に従い間隔を空けて長手方向に配置された線状部材
を更に備えることを特徴とする存在状況確認システム。
【請求項７】
前記センサモジュールは、前記センサモジュールの面又はその近辺に前記センサモジュール固有の物理アドレスが表示されていることを特徴とする請求項５又は６に記載の存在状況確認システム。
【発明の詳細な説明】
【技術分野】
【０００１】
本発明は、災害避難所やイベント会場等の一時的に使用される場所において人の存在状況をリアルタイムで把握するための存在状況確認システム及び存在状況確認方法に関する。
【背景技術】
【０００２】
人の着席状況を、座席等に予め設置されたＩＣチップ等により検知し、着席状況等を確認するシステムが今日広く活用されている。例えば、無線タグを用いて映画館における着席状態、コインロッカーの使用状況等を確認するシステムが開示されている（特許文献１参照）。
【特許文献１】特開２００５−２０８７２０４号公報
【発明の開示】
【発明が解決しようとする課題】
【０００３】
しかしながら、特許文献１に記載のシステムにおいては、予め座席やコインロッカー等に無線タグを常設しておく必要があった。又、無線タグとリーダーアンテナの位置関係によっては、無線情報が正しく送受信できないことがあった。又無線タグの価格や消費電力の問題があった。
【０００４】
本発明は、上記の問題点に鑑みてなされたものであり、災害避難所やイベント会場等の一時的に使用される場所において素早く設置・回収することが可能で、廉価で低消費電力の無線タグを用いて、無線電波を確実に送受信し、正確に人の存在状況を確認することができる存在状況確認システム及び存在状況確認方法を提供することを目的とする。
【課題を解決するための手段】
【０００５】
上記の問題点を鑑みて、本発明の第１の特徴は、(イ)圧力負荷を検出する複数のセンサモジュール、センサモジュールより検出を通知されるアクセスポイント、通知を基に検知対象の存在状況を確認する情報管理サーバを備えるシステムであって、センサモジュールは、物理アドレスの順番で配置され、検出により自らの固有物理アドレスを含む圧力検知データを無線通信にてアクセスポイントに送信し、（ロ）情報管理サーバは、アクセスポイントを介して圧力検知データを受信し、圧力検知データより固有物理アドレスを取得し、物理アドレスの順番に従って配列された配置図に固有物理アドレスの位置を表示するよう指示する存在状況確認システムであることを要旨とする。
【０００６】
更に本発明の第１の特徴は、（ハ）センサモジュールは、アクセスポイントに向けて圧力検知データを無線送信する第１のセンサモジュールと、圧力検知データをアクセスポイントに中継する第２のセンサモジュールとを備えることを加えても良い。
【０００７】
本発明の第２の特徴は、（イ）複数のセンサモジュールが圧力負荷を検出し、アクセスポイントがセンサモジュールの検出を受信して情報管理サーバに通知し、情報管理サーバが通知を基に検知対象の存在状況を確認する存在状況確認方法であって、物理アドレスの順番で配置されるセンサモジュールが圧力を検出して自らの固有物理アドレスを含む圧力検知データを無線通信にてアクセスポイントに送信するステップと、（ロ）アクセスポイントを介して情報管理サーバが圧力検知データを受信し、圧力検知データより固有物理アドレスを取得し、物理アドレスの順番に従って配列された配置図に固有物理アドレスの位置を表示するよう指示するステップとを備える存在状況確認方法であることを要旨とする。
【０００８】
本発明の第３の特徴は、(イ)圧力負荷を検出する複数のセンサモジュール、センサモジュールより検出を通知されるアクセスポイント、通知を基に検知対象の存在状況を確認する情報管理サーバを備える存在状況確認システムであって、センサモジュールが物理アドレスの順番に従い間隔を空けて二手方向に配置された面状部材を更に備える存在状況確認システムであることを要旨とする。
【０００９】
本発明の第４の特徴は、（イ）圧力負荷を検出する複数のセンサモジュール、センサモジュールより検出を通知されるアクセスポイント、通知を基に検知対象の存在状況を確認する情報管理サーバを備える存在状況確認システムであって、センサモジュールが物理アドレスの順番に従い間隔を空けて長手方向に配置された線状部材を更に備える存在状況確認システムであることを要旨とする。
【発明の効果】
【００１０】
本発明の存在状況確認システム及び存在状況確認方法によると、無線タグの設置・回収を素早く行い、災害避難所やイベント会場等の一時的に使用される場所においても簡易に且つ確実に検知対象の存在状況を管理することができる。又、低消費電力且つ安価な無線タグを用い、無線電波を確実に送受信し、正確に人の存在状況を確認することができる。
【発明を実施するための最良の形態】
【００１１】
以下、本発明の実施の形態に係る存在状況確認システムについて説明する。尚、本発明の実施の形態において使用される機器、手法等は一例であり、本発明はこれらに限定されるものではないことは勿論である。
【００１２】
（存在状況確認システム）
本発明の実施の形態に係る存在状況確認システム１００は、図１に示すように、複数のセンサモジュール１、アクセスポイント２、ＩＰネットワーク３、情報管理サーバ４、表示端末５等を備えている。
【００１３】
センサモジュール１は、災害避難所やイベント会場等の一時的に使用される場所に設置される、圧力の有無により人等の検知対象の存在を検出する回路である。センサモジュール１の内部構成を図２（ａ）（ｂ）に示す。センサモジュール１は電源となる電池６、圧力の負荷により通電する接点７ａ，７ｂ、接点の通電を検知しセンサモジュール１を起動する処理部８、起動状態を図１のアクセスポイント２に対して送信する通信部９等を備えている。センサモジュール１は圧力が負荷されていない状態では図２（ａ）のように接点７ａ，７ｂが離れている為起動しないが、圧力が負荷されることにより図２（ｂ）に示すように接点同士７ａ，７ｂが閉じられて通電（起動）するように構成されている。
【００１４】
尚、通信部９は各センサモジュール１固有の物理アドレスを記憶しており、通電状態となるとアクセスポイント２へ対して物理アドレスを含む圧力検知データを無線通信する。センサモジュール１は、通電中はこの通信処理を最小限時間で、所定間隔毎に行う。これにより電力の消費は最小限に抑えられる。
【００１５】
アクセスポイント２は、複数のセンサモジュール１から送信される無線電波を受信し、圧力検知データを受け取る。尚、本発明の実施の形態においては、複数のセンサモジュール１とアクセスポイント２間のセンサネットワーク技術として、ZigBee技術のアドホック中継を使用した場合について説明する。これによりアクセスポイント２から遠距離のセンサモジュール１であっても、他のセンサモジュール１とアドホック中継することにより、確実にアクセスポイントに電波を送信することができる。
【００１６】
ZigBee技術について説明する。ZigBeeは、家電向けの短距離無線通信規格の一つであり、低速で転送距離が短い代わりに、安価で消費電力が少ないという特徴を持つ。基礎部分の電気的仕様はIEEE 802.15.4として規格化されている。データ転送速度は20Kbps〜250kbpsで使用する無線周波数帯によって異なり、2.4GHzでは250Kbps、902〜928MHzでは40Kbps、868〜870MHzでは20Kbpsとなる。ZigBee端末には中継機能があり、中継を繰り返す事でZigBee素子同士が通信を行える限り情報を伝える事が出来るという特徴を持つ。送受信の頻度にもよるが、乾電池程度の電力で100日〜数年間稼動し、電源も含めて完全に無配線でネットワークを構築する事が出来る。ひとつのZigBeeネットワークには、最大で65,528個(アドレスで0x0000〜0xFFF7)のZigBee端末を接続することが出来る。
【００１７】
この方法により、センサモジュールが長く連なって配置され、端側のセンサモジュールとアクセスポイントとの間の距離が直接無線通信できなく成る程隔たる場合であっても、アクセスポイントへのアクセスが可能になる。
【００１８】
なお、直接通信可能な距離で有ればセンサモジュールとアクセスポイントとの間でアドホック中継せずに直接通信出来るネットワークの構成方法を用いても良いことは言うまでもない。また、ZigBee技術以外のアドホック中継技術を採用しても良いことも勿論である。
【００１９】
管理所側に設置される情報管理サーバ４は、アクセスポイント２を介して圧力検知データを受信し、圧力検知データより固有物理アドレスを取得し、物理アドレスの順番に従って配列された配置図に固有物理アドレスの位置を表示するよう指示する。
【００２０】
表示端末５は、情報管理サーバ４の指示に従い、圧力検知データを在席情報としてに図３に示すように表示する。在席情報は管理者により閲覧される他、外部配信のためのインタフェースを用いて外部に提供してもよい。
【００２１】
（存在状況確認用センサモジュール）
尚、本発明の実施の形態においては、複数のセンサモジュール１は間隔を空けて二手方向に、面状部材、例えば図４に示すようにシート状のカーペット１０等の面に整列するように配置される。位置がずれないようにセンサモジュールの片面をカーペット１０等に接着したり、内部に埋め込んだりしてもよい。この際、センサモジュール１の並びは、物理アドレス配列の構成順に対応して連番になるように配置する。この様にセンサモジュール１を整列配置し、図３の表示端末上の整列配置の表示状態と一致させる。このように配置することで、現実及び表示上のセンサモジュール１の設置位置が把握しやすくなり、更にセンサモジュール１の位置管理が容易となる。又、センサモジュール１をロール状態で保管し、必要時に開いて使用することにより、設置・回収等の運用管理における手間を削減する。この他、複数のセンサモジュール１を紐等で結びつけ、ロール状態で保存、運用してもよい。
【００２２】
（存在状況確認システムの動作）
次に、存在状況確認システム１００の動作について図５のフローチャートを用いて説明する。
【００２３】
（ａ）先ずステップＳ１０１において、人等の検知対象がセンサモジュール１上に乗る等の動作によりセンサモジュール１の接点７ａ，７ｂ（図２参照）に圧力が加えられ通電すると、処理部８がセンサモジュール１を起動させ、固有物理アドレスを含む圧力検知データを通信部９に送信するよう通知する。通信部９は圧力検知データをアクセスポイント２に向けて無線送信する。
【００２４】
（ｂ）ステップＳ１０２において、アクセスポイント２が無線可能範囲にあるか否かを判断し、アクセスポイント２が無線可能範囲に無い場合、ステップＳ１０３において、近くに設置されている他のセンサモジュール１がこの圧力検知データを受信し、アクセスポイント２近くに設置される他のセンサモジュール１に対して中継する。ステップＳ１０２及びＳ１０３は圧力検知データがアクセスポイント２に引き渡されるまで繰り返される。
【００２５】
（ｃ）ステップＳ１０４において、アクセスポイント２が、１つ以上のセンサモジュール１より圧力検知データを受信・収集すると、所定間隔毎にＩＰネットワーク３を介して情報管理サーバ４に送信する。
【００２６】
（ｄ）ステップＳ１０５においては、情報管理サーバ４は収集された圧力検知データを受信し、圧力検知データに含まれるセンサモジュール固有の物理アドレスを抽出する。抽出された物理アドレスは例えば図３に示すような在席配列位置と紐付けられており、「使用中」状態として点滅させる等の在席情報として表示端末５に表示される。
【００２７】
（実施例１）
存在状況確認システム１００は例えば、図６に示すように、複数のセンサモジュール１を面状部材、例えばシートや、カーペット１０等の裏面又は内部に整列配置するように付着させて使用する。この際、センサモジュール１の物理アドレスの順番と整列配置状態が対応するように設置する。尚、各センサモジュール１の表面、すなわちセンサモジュール１の面上、センサモジュール近辺のカーペット面やその近辺に物理アドレスを印字等して表示し、展開時の設置状況を容易に把握できるようにしておくことが好ましい。センサモジュール１付きのカーペット１０等は通常は図４のようにロール状に丸めて保管しておき、避難所やイベント会場等のセンサモジュール１の常設が難しい一時的に使用される会場にて、必要時に素早く広げて人等の存在状況確認の為に使用する。このように使用することで、イベント会場内の人数の大まかな把握、人の分布状況、人の通行状況等を確認したり、又は避難所等でセンサモジュール１の設置場所（起動が可能となる位置）に人々を配列させることで避難している人々の数をカウントすることもできる。
【００２８】
（実施例２）
存在状況確認システム１００においては、複数のセンサモジュール１を、図７に示すように、間隔を空けて長手方向に配置された線状部材、例えば紐１１等に結びつける又は接着し、簡易座席の上や背面等に配置させて使用することもできる。この際、座席同士の間隔と紐１１の長さが同じとなり、センサモジュール１が座席の中央等のセンサモジュール１の起動が可能となる位置にくるように予め紐１１の長さを調整しておくことが好ましい。尚、紐１１の代わりに、ある程度の伸縮が可能なゴムやコイルを使用しても構わない。尚、実施例２においても、上述したように、物理アドレスの順番とセンサモジュール１整列配置状態が対応するように設置し、表示端末５上の表示状態もこの整列配置状態と一致させることが望ましい。更に、各センサモジュール１の表面に物理アドレスを印字等し、展開時の設置状況を容易に把握できるようにしておくことが好ましい。紐付けされたセンサモジュール１は通常は図６のように保管用巻き込みロール１２にロール状に丸めて保管しておき、一時会場等にて、必要時に素早く伸ばして人等の検知対象の存在状況確認の為に使用する。このように使用することで、イベント会場や避難所内の人数をカウントすることができる。
【００２９】
（その他の実施例）
この他、人等の検知対象の存在位置が不定期な場所で使用する場合には、必要数分のセンサモジュール１をロールから引き出し、切り取って使用することも可能である。切り取って使用する場合は、センサモジュール１は紙やポリエステル等の切断しやすい材質にて所定間隔毎に結びつけ、ロール状に保管しておく。又、切り取って使用する場合は特にセンサモジュール１の配置位置が不明瞭になりやすいので、各センサモジュール１表面には鮮明に物理アドレスを表示することが好ましい。又、センサモジュール１背面に両面テープ等を予め接着させておき、椅子、ドア等への設置をし易くしておくことも可能である。
【図面の簡単な説明】
【００３０】
【図１】本発明の実施の形態に係る存在状況確認システムの構成を示す図である。
【図２】センサモジュールの内部構成を示す図である。
【図３】表示端末上における検知対象の存在状況の表示画面を示す図である。
【図４】センサモジュールの保管状態を示す図である。
【図５】存在状況確認システムの動作を示すフロー図である。
【図６】存在状況確認システムの実施例１の使用状態を示す図である。
【図７】存在状況確認システムの実施例２の使用状態を示す図である。
【符号の説明】
【００３１】
１…センサモジュール
２…アクセスポイント
３…ＩＰネットワーク
４…情報管理サーバ
５…表示端末
６…電池
７ａ，７ｂ…接点
８…処理部
９…通信部
１０…カーペット
１１…紐
１２…保管用巻き込みロール
１００…存在状況確認システム
【図１】
2010092093.tif 000003
【図２】
2010092093.tif 000004
【図３】
2010092093.tif 000005
【図４】
2010092093.tif 000006
【図５】
2010092093.tif 000007
【図６】
2010092093.tif 000008
【図７】
2010092093.tif 000009